(57)【要約】【課題】柱部材と梁部材の大型化により効率的施工と工期の短縮化等を可能にした柱部材と梁部材とからなる構造物の構築工法を提供する。【解決手段】複数の柱部材１と複数の梁部材２とからなる複数層・複数スパンのＲＣ構造物を構築する。柱部材１及び梁部材２はプレキャストコンクリートで形成する。柱部材１を構造物の２層分の長さに、梁部材２を構造物の２スパン分の長さにそれぞれ形成する。柱部材１は梁部材２の中央に建て付ける。梁部材２は柱部材１の中央に架け渡す。柱部材１の下端部は梁部材２の上側部に、柱部材１の上端部は梁部材２の下側部にそれぞれ接合する。梁部材２の両端部は柱部材１の側部に接合する。【選択図】図１
2007308885.tif 000002
【特許請求の範囲】
【請求項１】
複数の柱部材と複数の梁部材とからなる複数層・複数スパンの構造物を構築する構造物の構築工法であって、前記柱部材を前記構造物の２層分の長さに、前記梁部材を前記構造物の２スパン分の長さにそれぞれ形成し、前記柱部材を前記梁部材の中央に建て付け、前記梁部材を前記柱部材の中央に架け渡すことを特徴とする構造物の構築工法。
【請求項２】
前記柱部材の下端部は前記梁部材の上側部に、前記柱部材の上端部は前記梁部材の下側部にそれぞれ接合し、前記梁部材の両端部は前記柱部材の側部に接合することを特徴とする請求項１記載の構造物の構築工法。
【発明の詳細な説明】
【技術分野】
【０００１】
本発明は、複数の柱部材と梁部材とからなる構造物の構築工法に関し、特に柱部材と梁部材の大型化により効率的施工を可能にしたものであり、例えばプレキャストコンクリートからなる柱部材と梁部材とからなるＲＣ構造物の構築に適用される。
【背景技術】
【０００２】
複数層・複数スパンに構築されるＲＣ構造物の構築工法として、柱部材と梁部材を共にプレキャストコンクリートから形成し、これら柱部材と梁部材を順次組み立てて建物の全体を構築する構築工法が知られている。
【０００３】
本工法は、現地における型枠工事、配筋工事、コンクリート工事がほとんど無く、主に部材間の接合のみによって構造物を構築するため、現場施工の大幅な省力化と施工精度の向上が図れる等のメリットがある。
【０００４】
【特許文献１】特開２００４−３１６３２２号公報
【発明の開示】
【発明が解決しようとする課題】
【０００５】
しかし、これまでの柱部材と梁部材はいずれも、１層分、１スパン分の長さに形成されたものであるため、部材数および接合箇所が非常に多く、これに伴い、揚重回数、接合作業も大幅に増えて工程・コストの面で負担が嵩み、工事が煩雑になりやすい等の課題があった。
【０００６】
本発明は、以上の課題を解決するためになされたもので、柱部材と梁部材の大型化により現場施工の大幅な効率化と工期短縮化等を可能にした構造物の構築工法を提供することを目的とする。
【課題を解決するための手段】
【０００７】
請求項１記載の構造物の構築工法は、複数の柱部材と複数の梁部材とからなる複数層・複数スパンの構造物を構築する構造物の構築工法であって、前記柱部材を前記構造物の２層分の長さに、前記梁部材を前記構造物の２スパン分の長さにそれぞれ形成し、前記柱部材を前記梁部材の中央に建て付け、前記梁部を前記柱部材の中央に架け渡すことを特徴とするものである。
【０００８】
本発明は特に、柱部材と梁部材を大型化することにより柱部材および梁部材の総部材数および総接合箇所を大幅に減らして現場施工の大幅な省力化と工期の短縮化等を可能にしたものであり、大型部材を比較的容易に成形可能なＲＣ構造物の施工に適している。
【０００９】
請求項２記載の構造物の構築工法は、請求項１記載の構造物の構築工法において、前記柱部材の下端部は前記梁部材の上側部に、前記柱部材の上端部は前記梁部材の下側部にそれぞれ接合し、前記梁部材の両端部は前記柱部材の側部に接合することを特徴とするものである。
【発明の効果】
【００１０】
本発明は複数層・複数スパンに構築される構造物を構築するに際し、特に２層分の長さを有する柱部材と２スパン分の長さを有する梁部材を用いることで、柱部材および梁部材の総部材数および総接合箇所を大幅に減らすことができるため、現場施工の大幅な省力化と工期の短縮化等を図ることができる。
【００１１】
また、同じ階の柱部材を１スパンおきに配置することで、各階における部材点数の均一化と施工精度の向上などを図ることができる。
【００１２】
さらに、柱部材と梁部材の接合をいわゆるパネルゾーンを避け、柱部材の側部および梁部材の上側と下側において行うことにより、直上階の柱の建て方を当該階の施工中に行うことができる等のメリットがあり、効率的施工が可能になる。
【発明を実施するための最良の形態】
【００１３】
図１〜図４は、本発明工法によるＲＣ構造物の構築工法を示し、本工法においては、図１に図示するような複数層・複数スパンの構造物を構築するために、例えば、図２(ａ)，(ｂ)にそれぞれ図示するような柱部材と梁部材を用いる。
【００１４】
柱部材１は上記した構造物の２層分の長さに形成され、梁部材２は２スパン分の長さに形成され、いずれもプレキャストコンクリートによって形成されている。
【００１５】
柱部材１の上端部には複数の継手用鉄筋３が突設され、下端部には継手用鉄筋３と同数の継手用シース４が埋設され、さらに当該柱部材１のほぼ中間部には複数の継手用鉄筋５と継手用鉄筋６がそれぞれ突設されている。
【００１６】
継手用鉄筋３は、柱部材１の上端部を当該柱部材１の直上の梁部材２および柱部材１と一体的に接合するための継手であり、当該継手用鉄筋３は柱部材１内に配筋された主筋の上端部を梁部材２の梁成に相当する長さより長く延長することにより形成されている。
【００１７】
継手用シース４は、柱部材１内に配筋された各主筋と同一軸腺上にそれぞれ埋設され、かつ各主筋の下端部にそれぞれ一体的に接続されている。
【００１８】
継手用鉄筋５は、梁部材２の端部をそれぞれ柱部材１の側部に接合するための継手であり、柱部材１の両側に対称に所定長突設されている。なお、この場合の継手用鉄筋５の配筋方法としては、柱部材１の中間部を水平に貫通し、その両端を柱部材１の両側に対称に所定長突出するように配筋する方法と、柱部材１の中間部を貫通せず、柱部材１の両側部に別々に突出するように配筋する方法のいずれでもよい。
【００１９】
継手用鉄筋６は床スラブ（図省略）の端部を柱部材１の側部に接合するため継手であり、柱部材１の内側に水平に突設されている。
【００２０】
一方、梁部材２の両端部にはウェブ部２ａと複数の継手用鉄筋７が突設され、また当該梁部材２の内側部には複数の継手用鉄筋８が突設されている。ウェブ２ａは梁部材２の一部であり、特に当該梁部材２の端部を柱部材１の側部に接合する際のコンクリート型枠としても利用される部分である（図３（ｂ）参照）。
【００２１】
継手用鉄筋７は、梁部材２の端部を柱部材１の側部に接合するための継手であり、梁部材２内に配筋された主筋の端部を所定長さ突設することにより形成されている。継手用鉄筋８は床スラブ（図省略）を梁部材２の側部に接合するための継手であり、梁部材２の軸方向の全長に渡って複数突設されている。
【００２２】
さらに、梁部材２の中央には柱部材１と同一断面径および同一寸法の仕口部９が形成され、当該仕口部９に柱部材１の継手用鉄筋３が貫通する複数の貫通孔９ａが鉛直に形成されている。なお、仕口部９の側部にも複数の継手用鉄筋８が突設されている。
【００２３】
次に、図４に基いて本発明の構築方法を説明すると、先の工程で既に軸組みされた最上階の各梁部材２Ａの中央に新たに柱部材１Ａをそれぞれ立設する。この場合、各柱部材１Ａは仕口部９の上に立設する。また、図３（ａ）に図示するように、当該柱部材１Ａの下端部に埋設された各継手用シース４内に、仕口部９の貫通孔９ａを貫通し、当該仕口部９の上端部に突設された各継手用鉄筋３の上端部をそれぞれ挿入する。
【００２４】
そして、各継手用シース４内および仕口部９の貫通孔９ａ内にモルタル等の固化材を充填することにより、梁部材２Ａと当該梁部材２Ａの下側に位置する柱部材１Ｂの上端部と梁部材２Ａの上側に位置する柱部材１Ａの下端部をそれぞれ一体的に接合する。なお、本工法においては、同じ階の柱部材１は１スパンおきに立設する。すなわち、図４において、各柱部材１Ａは１スパンおきに立設されている。
【００２５】
次に、こうして立設した各柱部材１Ａ，１Ａ間に直上階の梁部材２Ｃをそれぞれ架け渡す。この場合、梁部材２Ｃはクレーン１０によって水平に吊り、各柱部材１Ａ，１Ａ間の中央に水平に落とし込む。
【００２６】
そして、両端の継手用鉄筋７，７を先の工程で立設した両側の柱部材１Ａ，１Ａの側部に突設された継手用鉄筋５，５と対峙させ、中央の仕口部９を先の工程で立設した中間の柱部材１Ｂの上端部に載せる。中央の仕口部９を柱部材１Ｂの上端部に載せる際、当該柱部材１Ｂの上端部に突設された各継手用鉄筋３を仕口部９の貫通孔９ａに貫通させ、仕口部９の上端部に突出させる。
【００２７】
次に、各梁部材２Ｃの両端部を柱部材１Ａ，１Ａの側部に一体的に接合する。この場合、例えば図３（ｂ）に図示するように、各柱部材１Ａの側部に突設された各継手用鉄筋５と各梁部材２の端部に突設された各継手用鉄筋７を継手用シース１１等によってそれぞれ接合し、その周囲にせん断補強筋１２を配筋し、かつウェブ２ａの反対側と底部に型枠材１３を配置して当該型枠材１３とウェブ２ａとからなるコンクリート型枠を形成し、当該型枠内にコンクリート１４を打設することにより各梁部材２Ｃの端部を各柱部材１Ａの側部に一体的に接合する。なお、型枠材１３は後で撤去する。
【００２８】
次に、こうして軸組みした柱部材１Ａおよび梁部材２Ｃの内側に床型枠をかねたプレキャストコンクリート板等（図省略）を敷設し、その上に床補強筋（図省略）を配筋し、かつコンクリートを打設して柱部材１および梁部材２と一体の床スラブを構築する。
【００２９】
以下、同様にして各階の柱部材１と梁部材２を軸組みし、床スラブを施工することにより全階をきわめて効率的に構築することができる。
【産業上の利用可能性】
【００３０】
本発明は、複数の柱部材と複数の梁部材とからなる複数層・複数スパンのＲＣ構造物を、当該構造物の２層分の長さに形成された柱部材と前記構造物の２スパン分の長さに形成された梁部材を用いることによりきわめて効率的に構築することができる。
【図面の簡単な説明】
【００３１】
【図１】本発明の構築工法による構築途中のＲＣ構造物を示す正面図である。
【図２】本発明の構築工法で用いられる柱部材と梁部材を示し、(ａ)は柱部材の斜視図、(ｂ)は梁部材の斜視図である。
【図３】（ａ）は梁部材の上側部と下側部に上下階の柱部材の端部をそれぞれ接合する方法を示す縦断面図、（ｂ）は柱部材の側部に梁部材の端部を接合する方法を示す横断面図である。
【図４】本発明の構築工法を示す斜視図である。
【符号の説明】
【００３２】
１  柱部材
２  梁部材
３  継手用鉄筋
４  継手用シース
５  継手用鉄筋
６  継手用鉄筋
７  継手用鉄筋
８  継手用鉄筋
９  仕口部
１０  クレーン
１１  継手用シース
１２  せん断補強筋
１３  型枠材
１４  コンクリート
【図１】
2007308885.tif 000003
【図２】
2007308885.tif 000004
【図３】
2007308885.tif 000005
【図４】
2007308885.tif 000006